(57)【要約】【課題】現有の人工芝の不足を補う、イオン発生人工芝の一種とその制作過程を提供する。【解決手段】本考案は、イオン発生人工芝の一種であり、中央の層である基布３、基布３の上に織り付けた芝糸１、最下層にあるイオン成分込粘着剤４と、基布３に塗りつけたイオン発生層２とにより、構成されている。ここのイオン発生層２は、基本的に基布３の上下どちらかの一面に塗り付けられている。基布３にイオン発生の塗料を塗って、芝糸１を基布３と一緒に織り付けたあと、基布３の裏にイオン成分込粘着剤４を塗る、という手順で制作することができる。【選択図】図１
0003210344.tif 000002
【実用新案登録請求の範囲】
【請求項１】
中央の層である基布と、
前記基布の上に織り込まれた芝糸と、
最下層にあるイオン成分込粘着剤と、
前記基布に塗り付けられるイオン発生層と、を備え、
前記イオン発生層は、少なくとも前記基布の上下どちらか一面に塗り付けられている、人工芝。
【請求項２】
前記基布の材料は、ポリプロピレンであり、前記イオン発生層の厚さは、０．１〜３．０ｍｍとされている、請求項１に記載された人工芝。
【考案の詳細な説明】
【技術分野】
【０００１】
本考案は、人工芝の制作分野に属するものであり、特にイオンを発生することのできる人工芝に関するものである。
【背景技術】
【０００２】
近年、人工芝業の発展は順調であり、毎年20〜25％の成長率を遂げた。サッカー、テニス、ゴルフ等のスポーツのプロ化や、産業化とビジネス化に伴い、スポーツ用人工芝の商業的な応用が多様である。また、人工芝の応用は既に、スポーツ施設を超え、家庭用や、鑑賞用などの分野に進出した。
【０００３】
今まで、人工芝に対する開発は、芝糸の形や、摩損耐えの向上などに集中している。例えば米国特許第６４３２５０５８１号では、断面がダイヤモンド型の芝糸が開発されている。また、国際公開第９９／６０２１３号では、Ｕ型断面の芝糸が開発されている。さらに、中国特許出願第２０１７５１４６０号では、Ｏ型断面の芝糸が開発されている。
【先行技術文献】
【特許文献】
【０００４】
【特許文献１】米国特許第６４３２５０５８１号公報
【考案の概要】
【考案が解決しようとする課題】
【０００５】
しかしながら、多くの天然芝が有する機能が、未だ人工芝には再現されていない。例えば、天然芝の光合成による光電効果で、空気を光電離させ、［空気中のビタミン］と言われるイオンを発生し、健康に有益な効果を果たせる機能である。
【０００６】
そこで、本考案は、現有の人工芝の不足を補う、イオン発生人工芝の一種とその制作過程を提供する。この製品によって舗装された場所に高能動のイオンが発生され、室内のスポーツ施設や、室内のレジャー施設には最適である。
【課題を解決するための手段】
【０００７】
本実用新案は以下の技術により実現された。
【０００８】
イオン発生人工芝の一種、その特徴は：真ん中の層である基布、基布の上に織り付けた芝糸、最下層にあるイオン成分込粘着剤と基布に塗りつけたイオン発生層により、構成され、いわゆるイオン発生層は、少なくとも基布の上下どちらの一面に塗り付けられている。
【０００９】
ここで言う基布とはポリプロピレンを材料としている；ここで言うイオン発生層とはその厚さは０．１〜３．０ｍｍである；ここで言うイオン成分込粘着剤とは通常の人工芝用粘着剤にイオンを発生する鉱物を混入し制作するものである；ここで言うイオンを発生する鉱物とは電気石、オパール、蛍石、イオンパウダーの一種、或いは何種類かの混合物である。
【００１０】
ここで言うイオン発生人工芝の制作方法とは、以下の手順を踏まえている。
【００１１】
ａ）基布にイオン発生塗料を塗り、セ氏１１０度以下の条件で乾燥する。基布の上下両面にイオン発生層が形成される。
【００１２】
ｂ）人工芝の粘着剤にイオン発生する鉱物を入れ、均一になるまでかき混ぜ、イオン成分込粘着剤を作る。
【００１３】
ｃ）編み機を使って、人工芝の芝糸をイオン発生層が塗られた基布に織り付ける。
【００１４】
ｄ）糊付機を使って、基布の裏にイオン成分込粘着剤を塗り付け、セ氏５０〜１１０度の温度で加熱固定する。
【００１５】
今までの技術と比べ、本実用新案は以下の有益な効果がある。ポリプロピレンの基布にイオン発生塗料を塗り、イオン発生層が形成され、かつ粘着剤の中にイオン発生鉱物を入れ、感熱発電と感圧発電と言う特性が付けられた。人工芝の周囲環境の温度は少しでも変化があったら、或いは芝生での人間活動により少しでも人工芝が圧力を受けた時、イオン発生塗料、イオン発生鉱物の結晶の間に電位差が生じる。このエネルギーは周囲の空気を電離させ、脱出した電子は近くの水分子と酸素に結合、イオンへ転化させる。それで、舗装された地域のイオン濃度を高め、そこでスポーツ活動を行う人々の健康を促進する。本実用新案により制作したイオン発生人工芝を、室内に１００平米以上舗装した時、空気中のイオン濃度は一般的な都市公園に相当する １５００ ｍｏｌ／ｃｍ３に達する。
【図面の簡単な説明】
【００１６】
【図１】イオン発生人工芝の構造図である。
【考案を実施するための形態】
【００１７】
以下、本考案の実施の形態について図面を参照して説明する。
【実施例】
【００１８】
図面と具体的な実施方法に合わせて、本実用新案に対する更なる説明を行う。
【００１９】
本実用新案のイオン発生人工芝は、人工芝糸１、イオン発生層２、基布３、イオン成分込粘着剤４により、構成されている。普通の人工芝と比べて、本実用新案の特徴は、芝にイオン発生層２とイオン成分込粘着剤４を入れたことである。図１のように、図上の基布３の上下両面にイオン発生層２が附属されている。人工芝糸１は一番上に、下部と編み付け、イオン成分込粘着剤４は芝生の裏目に糊付ける。
【００２０】
本実用新案の人工芝の芝糸は公知の方法で制作され、芝糸の成分、断面形、サイズ等特に指定していない。ここで言う基布３とはポリプロピレンを材料としている；ここで言うイオン発生層２とは基布３にイオン発生塗料を塗り付けの形で、少なくとも基布３の上下どちらの一面に付けられ、加熱と乾燥過程を経て形成する。ここで言うイオン発生層２とは厚さ０．１ｍｍ〜３．０ｍｍのものである。ここで言うイオン成分込粘着剤４とは通常の人工芝用粘着剤にイオン発生する鉱物を混入し制作するものである；ここで言うイオン発生する鉱物とは電気石、オパール、蛍石、イオンパウダーの一種或いは何種類の混合物である。
【００２１】
イオン発生層２とイオン成分込粘着剤４の中にあるイオン成分は感熱発電と感圧発電の特性を有する。人工芝の周囲環境の温度は少しでも変化があったら、或いは芝生での人間活動により少しでも人工芝が圧力を受けた時、イオン発生塗料、イオン発生鉱物の結晶の間に電位差が生じる。このエネルギーは周囲の空気を電離させ、脱出した電子は近くの水分子と酸素に結合、イオンへ転化させる。それで、舗装された地域のイオン濃度を高め、そこでスポーツ活動を行う人々の健康を促進する。本実用新案により制作したイオン発生人工芝を、室内に１００平米以上舗装した時、空気中のイオン濃度は一般的な都市公園に相当する１５００ｍｏｌ／ｃｍ３に達する。
【００２２】
以上、図面を参照して、本考案の実施例を詳述してきたが、具体的な構成は、この実施例に限らず、本考案の要旨を逸脱しない程度の設計的変更は、本考案に含まれる。
【符号の説明】
【００２３】
１    人工芝糸
２    イオン発生層
３    基布
４    イオン成分込粘着剤
【図１】
0003210344.tif 000003